(57)【特許請求の範囲】
【請求項１】
第１のデータ送信のための第１の制御情報を有する第１の付与を受信することと、
第２のデータ送信のための第２の制御情報を有する第２の付与を受信することと、
前記第２の制御情報が前記第１の制御情報と一致しないかどうかを決定することと、
前記第２の制御情報が前記第１の制御情報と一致しないと決定された場合、前記第１および第２の付与がダウンリンクまたはアップリンクのデータ送信のためのものかどうかに基づいて、前記第２の付与を保持または破棄するかどうかを決定することと
を含む、無線通信のための方法。
【請求項２】
前記第１の制御情報が、パラメータのための第１の値を含み、前記第２の制御情報が、前記パラメータのための第２の値を含み、前記第２の制御情報が、前記第２の値が前記第１の値とは異なるために、前記第１の制御情報と一致しないものと考えられる、請求項１に記載の方法。
【請求項３】
前記第１の制御情報が、第１の搬送ブロックサイズを含み、前記第２の制御情報が、第２の搬送ブロックサイズを含み、前記第２の制御情報が、前記第２の搬送ブロックサイズが前記第１の搬送ブロックサイズとは異なるために、前記第１の制御情報と一致しないものと考えられる、請求項１に記載の方法。
【請求項４】
前記第２の付与を保持または破棄するかどうかを決定することが、前記第１および第２の付与が同一の搬送ブロックのためのものかどうかにさらに基づいて、前記第２の付与を保持または破棄するかどうかを決定することを含む、請求項１に記載の方法。
【請求項５】
前記第２の付与を保持または破棄するかどうかを決定することが、前記第１および第２の付与が前記ダウンリンクのデータ送信のためのものである場合に前記第２の付与を保持することを含む、請求項１に記載の方法。
【請求項６】
前記第１および第２の付与が、搬送ブロックのための最も新しい２つの付与であり、前記搬送ブロックのための後続の付与が、一致しない制御情報を検出するために、前記第２の付与と比較される、請求項５に記載の方法。
【請求項７】
異なる搬送ブロックサイズが、搬送ブロックの異なるデータ送信のために許容される、請求項５に記載の方法。
【請求項８】
前記第２の付与が搬送ブロックのための明示的な搬送ブロックサイズを伝達しない、請求項５に記載の方法であって、
明示的な搬送ブロックサイズを有する前記搬送ブロックのための一番最新の付与に基づいて、前記第２のデータ送信のための搬送ブロックサイズを決定すること
をさらに含む、請求項５に記載の方法。
【請求項９】
前記第２の付与を保持または破棄するかどうかを決定することが、前記第１および第２の付与が前記アップリンクのデータ送信のためのものである場合に前記第２の付与を破棄することを含む、請求項１に記載の方法。
【請求項１０】
前記第１の付与が、搬送ブロックのための最初の付与であり、前記第２の付与が、前記搬送ブロックのための最も新しい付与であり、前記搬送ブロックのための後続の付与が、一致しない制御情報を検出するために前記第１の付与と比較される、請求項９に記載の方法。
【請求項１１】
単一の搬送ブロックサイズが、搬送ブロックの異なるデータ送信のために許容される、請求項９に記載の方法。
【請求項１２】
前記最初の付与が、明示的な搬送ブロックサイズを伝達し、前記第２の付与が、明示的な搬送ブロックサイズを伝達しない、請求項１０に記載の方法であって、
前記最初の付与における前記明示的な搬送ブロックサイズに基づいて、前記第２のデータ送信のための搬送ブロックサイズを決定すること
をさらに含む、請求項１０に記載の方法。
【請求項１３】
前記第１の制御情報に基づいて前記第１のデータ送信を受信および処理することと、
前記第２の制御情報に基づいて前記第２のデータ送信を受信および処理することと
をさらに含む、請求項１に記載の方法。
【請求項１４】
前記第１の制御情報に基づいて前記第１のデータ送信を送ることと、
前記第２の制御情報が前記第１の制御情報と一致しないために、前記第２のデータ送信を送らないことと
をさらに含む、請求項１に記載の方法。
【請求項１５】
第１のデータ送信のための第１の制御情報を有する第１の付与を受信する手段と、
第２のデータ送信のための第２の制御情報を有する第２の付与を受信する手段と、
前記第２の制御情報が前記第１の制御情報と一致しないかどうかを決定する手段と、
前記第２の制御情報が前記第１の制御情報と一致しないと決定された場合、前記第１および第２の付与がダウンリンクまたはアップリンクのデータ送信のためのものかどうかに基づいて、前記第２の付与を保持または破棄するかどうかを決定する手段と
を含む、無線通信のための装置。
【請求項１６】
前記第１の制御情報が、第１の搬送ブロックサイズを含み、前記第２の制御情報が、第２の搬送ブロックサイズを含み、前記第２の制御情報が、前記第２の搬送ブロックサイズが前記第１の搬送ブロックサイズとは異なるために、前記第１の制御情報と一致しないものと考えられる、請求項１５に記載の装置。
【請求項１７】
前記第２の付与を保持または破棄するかどうかを決定する手段が、前記第１および第２の付与が前記ダウンリンクのデータ送信のためのものである場合に前記第２の付与を保持する手段を含む、請求項１５に記載の装置。
【請求項１８】
前記第１および第２の付与が、搬送ブロックのための最も新しい２つの付与であり、前記搬送ブロックのための後続の付与が、一致しない制御情報を検出するために、前記第２の付与と比較される、請求項１７に記載の装置。
【請求項１９】
前記第２の付与を保持または破棄するかどうかを決定する手段が、前記第１および第２の付与が前記アップリンクのデータ送信のためのものである場合に前記第２の付与を破棄する手段を含む、請求項１５に記載の装置。
【請求項２０】
前記第１の付与が、搬送ブロックのための最初の付与であり、前記第２の付与が、前記搬送ブロックのための最も新しい付与であり、前記搬送ブロックのための後続の付与が、一致しない制御情報を検出するために前記第１の付与と比較される、請求項１９に記載の装置。
【請求項２１】
第１のデータ送信のための第１の制御情報を有する第１の付与を受信し、
第２のデータ送信のための第２の制御情報を有する第２の付与を受信し、
前記第２の制御情報が前記第１の制御情報と一致しないかどうかを決定し、
前記第２の制御情報が前記第１の制御情報と一致しないと決定された場合、前記第１および第２の付与がダウンリンクまたはアップリンクのデータ送信のためのものかどうかに基づいて、前記第２の付与を保持または破棄するかどうかを決定する
ように構成された少なくとも１つのプロセッサ
を含む、無線通信のための装置。
【請求項２２】
前記第１の制御情報が、第１の搬送ブロックサイズを含み、前記第２の制御情報が、第２の搬送ブロックサイズを含み、前記第２の制御情報が、前記第２の搬送ブロックサイズが前記第１の搬送ブロックサイズとは異なるために、前記第１の制御情報と一致しないものと考えられる、請求項２１に記載の装置。
【請求項２３】
前記少なくとも１つのプロセッサが、前記第１および第２の付与が前記ダウンリンクのデータ送信のためのものである場合に前記第２の付与を保持するように構成される、請求項２１に記載の装置。
【請求項２４】
前記第１および第２の付与が、搬送ブロックのための最も新しい２つの付与であり、前記搬送ブロックのための後続の付与が、一致しない制御情報を検出するために、前記第２の付与と比較される、請求項２３に記載の装置。
【請求項２５】
前記少なくとも１つのプロセッサが、前記第１および第２の付与が前記アップリンクのデータ送信のためのものである場合に前記第２の付与を破棄するように構成される、請求項２１に記載の装置。
【請求項２６】
前記第１の付与が、搬送ブロックのための最初の付与であり、前記第２の付与が、前記搬送ブロックのための最も新しい付与であり、前記搬送ブロックのための後続の付与が、一致しない制御情報を検出するために前記第１の付与と比較される、請求項２５に記載の装置。
【請求項２７】
第１のデータ送信のための第１の制御情報を有する第１の付与を受信するように少なくとも１つのプロセッサにさせるためのコードと、
第２のデータ送信のための第２の制御情報を有する第２の付与を受信するように前記少なくとも１つのプロセッサにさせるためのコードと、
前記第２の制御情報が前記第１の制御情報と一致しないかどうかを決定するように前記少なくとも１つのプロセッサにさせるためのコードと、
前記第２の制御情報が前記第１の制御情報と一致しないと決定された場合、前記第１および第２の付与がダウンリンクまたはアップリンクのデータ送信のためのものかどうかに基づいて、前記第２の付与を保持または破棄するかどうかを決定するように前記少なくとも１つのプロセッサにさせるためのコードと
を含む、コンピュータプログラム。
【請求項２８】
前記第１の制御情報が、第１の搬送ブロックサイズを含み、前記第２の制御情報が、第２の搬送ブロックサイズを含み、前記第２の制御情報が、前記第２の搬送ブロックサイズが前記第１の搬送ブロックサイズとは異なるために、前記第１の制御情報と一致しないものと考えられる、請求項２７に記載のコンピュータプログラム。
【請求項２９】
前記第１および第２の付与が前記ダウンリンクのデータ送信のためのものである場合に前記第２の付与を保持するように前記少なくとも１つのプロセッサにさせるためのコード
をさらに含む、請求項２７に記載のコンピュータプログラム。
【請求項３０】
前記第１および第２の付与が、搬送ブロックのための最も新しい２つの付与であり、前記搬送ブロックのための後続の付与が、一致しない制御情報を検出するために、前記第２の付与と比較される、請求項２９に記載のコンピュータプログラム。
【請求項３１】
前記第１および第２の付与が前記アップリンクのデータ送信のためのものである場合に前記第２の付与を破棄するように前記少なくとも１つのプロセッサにさせるためのコード
をさらに含む、請求項２７に記載のコンピュータプログラム。
【請求項３２】
前記第１の付与が、搬送ブロックのための最初の付与であり、前記第２の付与が、前記搬送ブロックのための最も新しい付与であり、前記搬送ブロックのための後続の付与が、一致しない制御情報を検出するために前記第１の付与と比較される、請求項３１に記載のコンピュータプログラム。
【請求項３３】
ユーザー機器（ＵＥ）に第１のデータ送信のための第１の制御情報を有する第１の付与を送ることと、
前記ＵＥに第２のデータ送信のための第２の制御情報を有する第２の付与を送ることであって、前記第２の制御情報が、前記ＵＥによって前記第１の制御情報と一致しないものと考えられる、ことと、
前記第２の制御情報が前記ＵＥによって前記第１の制御情報と一致しないものと考えられたことに基づいて、また、前記第１および第２の付与がダウンリンクまたはアップリンクのデータ送信のためのものかどうかにさらに基づいて、前記第１および第２のデータ送信を処理することと
を含む、無線通信のための方法。
【請求項３４】
前記第１の制御情報が、第１の搬送ブロックサイズを含み、前記第２の制御情報が、第２の搬送ブロックサイズを含み、前記第２の制御情報が、前記第２の搬送ブロックサイズが前記第１の搬送ブロックサイズとは異なるために、前記ＵＥによって前記第１の制御情報と一致しないものと考えられる、請求項３３に記載の方法。
【請求項３５】
前記第１および第２のデータ送信を処理することが、
前記第１の制御情報に基づいて前記第１のデータ送信を送ることと、
前記第２の制御情報に基づいて前記第２のデータ送信を送ることと
を含む、請求項３３に記載の方法。
【請求項３６】
前記第１および第２のデータ送信を処理することが、
前記第１の制御情報に基づいて前記第１のデータ送信を受信および処理することと、
前記第２の制御情報に基づいて前記第２のデータ送信を受信および処理することと、
復号エラーが前記第２のデータ送信のために得られた場合に、前記第２のデータ送信のためのブラインド復号を実行することと
を含む、請求項３３に記載の方法。
【請求項３７】
ユーザー機器（ＵＥ）に第１のデータ送信のための第１の制御情報を有する第１の付与を送る手段と、
前記ＵＥに第２のデータ送信のための第２の制御情報を有する第２の付与を送る手段であって、前記第２の制御情報が、前記ＵＥによって前記第１の制御情報と一致しないものと考えられる、手段と、
前記第２の制御情報が前記ＵＥによって前記第１の制御情報と一致しないものと考えられたことに基づいて、また、前記第１および第２の付与がダウンリンクまたはアップリンクのデータ送信のためのものかどうかにさらに基づいて、前記第１および第２のデータ送信を処理する手段と
を含む、無線通信のための装置。
【請求項３８】
前記第１の制御情報が、第１の搬送ブロックサイズを含み、前記第２の制御情報が、第２の搬送ブロックサイズを含み、前記第２の制御情報が、前記第２の搬送ブロックサイズが前記第１の搬送ブロックサイズとは異なるために、前記ＵＥによって前記第１の制御情報と一致しないものと考えられる、請求項３７に記載の装置。
【請求項３９】
前記第１および第２のデータ送信を処理する手段が、
前記第１の制御情報に基づいて前記第１のデータ送信を送る手段と、
前記第２の制御情報に基づいて前記第２のデータ送信を送る手段と
を含む、請求項３７に記載の装置。
【請求項４０】
前記第１および第２のデータ送信を処理する手段が、
前記第１の制御情報に基づいて前記第１のデータ送信を受信および処理する手段と、
前記第２の制御情報に基づいて前記第２のデータ送信を受信および処理する手段と、
復号エラーが前記第２の送信のために得られた場合に前記第２のデータ送信のためのブラインド復号を実行する手段と
を含む、請求項３７に記載の装置。
【請求項４１】
ユーザー機器（ＵＥ）に第１のデータ送信のための第１の制御情報を有する第１の付与を送り、
前記ＵＥに第２のデータ送信のための第２の制御情報を有する第２の付与を送り、前記第２の制御情報が、前記ＵＥによって前記第１の制御情報と一致しないものと考えられ、
前記第２の制御情報が前記ＵＥによって前記第１の制御情報と一致しないものと考えられたことに基づいて、また、前記第１および第２の付与がダウンリンクまたはアップリンクのデータ送信のためのものかどうかにさらに基づいて、前記第１および第２のデータ送信を処理する
ように構成された少なくとも１つのプロセッサ
を含む、無線通信のための装置。
【請求項４２】
前記第１の制御情報が、第１の搬送ブロックサイズを含み、前記第２の制御情報が、第２の搬送ブロックサイズを含み、前記第２の制御情報が、前記第２の搬送ブロックサイズが前記第１の搬送ブロックサイズとは異なるために、前記ＵＥによって前記第１の制御情報と一致しないものと考えられる、請求項４１に記載の装置。
【請求項４３】
前記少なくとも１つのプロセッサが、
前記第１の制御情報に基づいて前記第１のデータ送信を送り、
前記第２の制御情報に基づいて前記第２のデータ送信を送る
ように構成される、請求項４１に記載の装置。
【請求項４４】
前記少なくとも１つのプロセッサが、
前記第１の制御情報に基づいて前記第１のデータ送信を受信および処理し、
前記第２の制御情報に基づいて前記第２のデータ送信を受信および処理し、
復号エラーが前記第２のデータ送信のために得られた場合に、前記第２のデータ送信のためのブラインド復号を実行する
ように構成される、請求項４１に記載の装置。
【請求項４５】
ユーザー機器（ＵＥ）に第１のデータ送信のための第１の制御情報を有する第１の付与を送るように少なくとも１つのプロセッサにさせるためのコードと、
前記ＵＥに第２のデータ送信のための第２の制御情報を有する第２の付与を送るように前記少なくとも１つのプロセッサにさせるためのコードであって、前記第２の制御情報が、前記ＵＥによって前記第１の制御情報と一致しないものと考えられる、コードと、
前記第２の制御情報が前記ＵＥによって前記第１の制御情報と一致しないものと考えられたことに基づいて、また、前記第１および第２の付与がダウンリンクまたはアップリンクのデータ送信のためのものかどうかにさらに基づいて、前記第１および第２のデータ送信を処理するように前記少なくとも１つのプロセッサにさせるためのコードと
を含む、コンピュータプログラム。
【請求項４６】
前記第１の制御情報が、第１の搬送ブロックサイズを含み、前記第２の制御情報が、第２の搬送ブロックサイズを含み、前記第２の制御情報が、前記第２の搬送ブロックサイズが前記第１の搬送ブロックサイズとは異なるために、前記ＵＥによって前記第１の制御情報と一致しないものと考えられる、請求項４５に記載のコンピュータプログラム。
【請求項４７】
前記第１の制御情報に基づいて前記第１のデータ送信を送るように前記少なくとも１つのプロセッサにさせるためのコードと、
前記第２の制御情報に基づいて前記第２のデータ送信を送るように前記少なくとも１つのプロセッサにさせるためのコードと
をさらに含む、請求項４５に記載のコンピュータプログラム。
【請求項４８】
前記第１の制御情報に基づいて前記第１のデータ送信を受信および処理するように前記少なくとも１つのプロセッサにさせるためのコードと、
前記第２の制御情報に基づいて前記第２のデータ送信を受信および処理するように前記少なくとも１つのプロセッサにさせるためのコードと、
復号エラーが前記第２のデータ送信のために得られた場合に、前記第２のデータ送信のためのブラインド復号を実行するように前記少なくとも１つのプロセッサにさせるためのコードと
をさらに含む、請求項４５に記載のコンピュータプログラム。
【発明の詳細な説明】
【技術分野】
【０００１】
本願の特許請求の範囲は、いずれも２００９年３月１７日に出願され、引用によってここに組み込まれる、「ＬＴＥにおける一致しない制御情報に対処するための方法および装置」と題する米国仮出願番号第６１／１６０，９２６号と、「ＬＴＥにおける一致しない制御情報に対処するための方法および装置」と題する米国仮出願番号第６１／１６０，９９６号の優先権を主張する。
【０００２】
本開示は、概して通信に関し、より詳細には無線通信システムにおいて通信するための手法に関する。
【背景技術】
【０００３】
無線通信システムが、音声、映像、パケットデータ、メッセージング、同報、等のさまざまな通信コンテンツを提供するために広く配備されている。これらの無線システムは、利用可能なシステムリソースを共有することにより、複数のユーザーをサポートできる多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、シングルキャリアＦＤＭＡ（ＳＣ−ＦＤＭＡ）システムを含む。
【０００４】
無線通信システムは、多数のユーザー機器（ＵＥ）のための通信をサポートできる多数の基地局を含むことができ得る。ＵＥは、ダウンリンクおよびアップリンクを介して基地局と通信でき得る。ダウンリンク（すなわち、フォワードリンク）は、基地局からＵＥへの通信リンクのことを言い、アップリンク（すなわち、リバースリンク）は、ＵＥから基地局への通信リンクのことを言う。
【０００５】
基地局は、ＵＥに制御情報とデータを送ることができ得る。制御情報は、データ送信のために使用されるさまざまなパラメータを伝達でき得る。ＵＥは、制御情報を受信でき、制御情報に基づいてデータ送信を処理し、基地局によって送られたデータをリカバーでき得る。基地局からの制御情報を適切に解釈することがＵＥに所望され得る。
【発明の概要】
【０００６】
無線通信システムにおける一致しない制御情報に対処するための手法が、ここに説明される。１つの態様において、一致しない制御情報は、ダウンリンクとアップリンクとでは異なる方法で対処されることができ得る。１つの設計において、ＵＥは、第１のデータ送信のための第１の制御情報を有する第１の付与（grant）を受信でき、その後に、第２のデータ送信のための第２の制御情報を有する第２の付与を受信でき得る。ＵＥは、第２の制御情報が第１の制御情報と一致しないと決定でき得る。１つの設計において、第１の制御情報は、第１の搬送ブロックサイズを伝達でき、第２の制御情報は、第２の搬送ブロックサイズを伝達でき得る。ＵＥは、第２の搬送ブロックサイズが第１の搬送ブロックサイズとは異なるために、第２の制御情報が第１の制御情報と一致しないと考えることができ得る。ＵＥは、第１および第２の付与が、ダウンリンクまたはアップリンクのデータ送信のためのものかどうかに基づいて、第２の付与を保持または破棄するかどうかを決定でき得る。
【０００７】
１つの設計において、ＵＥは、第１および第２の付与がダウンリンクのデータ送信のためのものである場合、第２の付与を保持でき得る。第１および第２の付与は、ある搬送ブロックのための２つの最も新しい（most recent）付与であることができ得る。異なる搬送ブロックサイズが、その搬送ブロックの異なるデータ送信のために許容されることができ得る。ＵＥは、一致しない制御情報を検出するために、第２の／一番最新の（latest）付与に対し、その搬送ブロックのための後続の付与を比較でき得る。
【０００８】
１つの設計において、ＵＥは、第１および第２の付与がアップリンクのデータ送信のためのものである場合、第２の付与を破棄でき得る。第１の付与は、ある搬送ブロックのための最初の付与であることができ、第２の付与は、その搬送ブロックのための最も新しい付与であることができ得る。単一の搬送ブロックサイズが、その搬送ブロックの異なるデータ送信のために許容されることができ得る。ＵＥは、一致しない制御情報を検出するために、第１の／最初の付与に対し、その搬送ブロックのための後続の付与を比較でき得る。
【０００９】
一致しない制御情報は、以下に説明されるように、他の方法で検出および対処されることもでき得る。基地局は、以下に説明されるように、ＵＥによる一致しない制御情報の対処の原因となるような方法で処理を行うことができ得る。本開示のさまざまな態様および特徴が、以下にさらに詳細に説明される。
【図面の簡単な説明】
【００１０】
【図１】無線通信システムを示す図である。
【図２】ハイブリッド自動再送（ＨＡＲＱ）を用いたデータ送信を示す図である。
【図３】一致しない制御情報を受信するＵＥの例を示す図である。
【図４】制御情報の受信プロセスを示す図である。
【図５】制御情報を送るプロセスを示す図である。
【図６】基地局およびＵＥのブロック図である。
【詳細な説明】
【００１１】
ここに説明される手法は、ＣＤＭＡ、ＴＤＭＡ、ＦＤＭＡ、ＯＦＤＭＡ、ＳＣ−ＦＤＭＡといったさまざまな無線通信システム、および他のシステムのために使用されることができ得る。「システム」および「ネットワーク」という用語は、しばしば互換的に使用される。ＣＤＭＡシステムは、ユニバーサル地上無線アクセス（ＵＴＲＡ）、ｃｄｍａ２０００、等の無線技術を実現でき得る。ＵＴＲＡは、広帯域ＣＤＭＡ（ＷＣＤＭＡ）、時分割同期ＣＤＭＡ（ＴＤ−ＣＤＭＡ）、およびＣＤＭＡの他の変形を含む。ｃｄｍａ２０００は、ＩＳ−２０００、ＩＳ−９５、およびＩＳ−８５６標準をカバーする。ＴＤＭＡシステムは、移動体通信のための全世界システム（ＧＳＭ（登録商標））のような無線技術を実現でき得る。ＯＦＤＭＡシステムは、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）、等の無線技術を実現でき得る。ＵＴＲＡおよびＥ−ＵＴＲＡは、ユニバーサル移動電話システム（ＵＭＴＳ）の一部である。３ＧＰＰロングタームエボリューション（ＬＴＥ）およびＬＴＥ−アドバンスト（ＬＴＥ−Ａ）は、周波数分割多重（ＦＤＤ）および時分割多重（ＴＤＤ）の両者における、ダウンリンクにＯＦＤＭＡを、アップリンクにＳＣ−ＦＤＭＡを採用する、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する組織による文書で説明されている。ｃｄｍａ２０００およびＵＭＢは、「第３世代パートナーシッププロジェクト２」（３ＧＰＰ２）と称する組織による文書で説明されている。ここに説明される手法は、上述されたシステムおよび無線技術だけでなく、他のシステムおよび無線技術のために使用されることができ得る。明確にするために、手法のある特定の態様は、ＬＴＥのために以下に説明され、ＬＴＥの専門用語が、以下の説明のほとんどで使用される。
【００１２】
図１は、無線通信システム１００を示し、それは、ＬＴＥシステムまたはある他のシステムであり得る。システム１００は、多数の進化型ノードＢ（ｅＮＢ）１１０および他のネットワークエンティティを含むことができ得る。ｅＮＢは、ＵＥと通信するエンティティであることができ、ノードＢ、基地局、アクセスポイント、等と呼ばれることもでき得る。各ｅＮＢ１１０は、特定の地理的なエリアの通信カバレッジを提供でき、そのカバレッジエリア内に位置するＵＥのための通信をサポートでき得る。
【００１３】
ＵＥ１２０は、システム中に分散されることができ、各ＵＥは、固定または可動であることができ得る。ＵＥは、移動局、端末、アクセス端末、加入者ユニット、局、等と呼ばれることもでき得る。ＵＥは、携帯電話、携帯情報端末（ＰＤＡ）、無線モデム、無線通信デバイス、ハンドヘルドデバイス、ラップトップコンピュータ、コードレス電話、無線ローカルループ（ＷＬＬ）局、スマートフォン、ネットブック、スマートブック、等であることができ得る。
【００１４】
システムは、データ伝送の信頼性を向上させ、変化するチャネル状況のためのレート適応をサポートするために、ＨＡＲＱをサポートでき得る。ＨＡＲＱのために、送信機は、搬送ブロックの送信を送ることができ、および、搬送ブロックが受信機によって正しく復号されるまで、または、最大数の送信が送られるまで、または、ある他の終端の状況が生じるまで、適宜１つ以上のさらなる送信を送ることができ得る。搬送ブロックは、パケット、コードワード、等と呼ばれることもでき得る。搬送ブロックの送信は、ＨＡＲＱ送信、データ送信、等と呼ばれることもでき得る。
【００１５】
図２は、ＨＡＲＱを用いてダウンリンクでデータ送信を送る例を示す。送信の時系列は、サブフレーム単位に分割されることができ得る。各サブフレームは、所定の時間期間、たとえば、ＬＴＥでは１ミリ秒（ｍｓ）をカバーでき得る。
【００１６】
図２に示す例において、ｅＮＢは、ＵＥに送るデータを有することができ、搬送フォーマットに基づいて搬送ブロックＡを処理し、データシンボルを得ることができ得る。搬送フォーマットは、変調および符号化方式（ＭＣＳ）、搬送ブロック（ＴＢ）のサイズ、および／または、搬送ブロックのための他のパラメータに関連づけられることができ得る。ＭＣＳは、変調方式／順序、コードレート、等に関連づけられることができ得る。ｅＮＢは、サブフレームｉにおいて、物理ダウンリンク制御チャネル（ＰＤＣＣＨ）でダウンリンク制御情報（ＤＣＩ）を、物理ダウンリンク共有チャネル（ＰＤＳＣＨ）で搬送ブロックＡの第１の送信を、ＵＥに送ることができ得る。ＤＣＩは、以下に説明されるように、第１の送信のためのさまざまなパラメータを伝達でき得る。
【００１７】
ＵＥは、ｅＮＢから搬送ブロックＡの第１の送信とＤＣＩを受信でき、ＤＣＩに基づいて第１の送信を処理でき得る。ＵＥは、誤って搬送ブロックＡを復号する場合があり、サブフレームｉ＋Ｌで否定確認応答（ＮＡＣＫ）を送ることができ、ここで、Ｌは、ＨＡＲＱフィードバック遅延であり、２、３、４、等に等しいことができ得る。ｅＮＢは、ＮＡＣＫを受信でき、サブフレームｉ＋Ｍにおいて、ＰＤＣＣＨで新たなＤＣＩを、ＰＤＳＣＨで搬送ブロックＡの第２の送信を送ることができ、ここで、Ｍは、４、６、８、等に等しいことができ得る。ＵＥは、ｅＮＢから搬送ブロックＡの第２の送信とＤＣＩを受信でき、ＤＣＩに基づいて第１および第２の送信を処理でき得る。ＵＥは、搬送ブロックＡを正しく復号でき、サブフレームｉ＋Ｍ＋Ｌにおいて、確認応答（ＡＣＫ）を送ることができ得る。ｅＮＢは、ＡＣＫを受信でき、そして、同様の方法で、別の搬送ブロックＢを処理し、送ることができ得る。
【００１８】
システムは、多数のＨＡＲＱプロセスをサポートでき得る。各ＨＡＲＱプロセスは、任意の所与の瞬間に、アクティブであることもアクティブでないこともでき、１つ以上の搬送ブロックは、各アクティブなＨＡＲＱプロセスで送られることができ得る。１つ以上の搬送ブロックの終端がＨＡＲＱプロセスで送られると、１つ以上の新たな搬送ブロックが、ＨＡＲＱプロセスで送られることができ得る。
【００１９】
システムは、同期ＨＡＲＱおよび／または非同期ＨＡＲＱをサポートでき得る。同期ＨＡＲＱでは、搬送ブロックの送信が、送信機および受信機によってアプリオリに知られているサブフレームで送られることができ得る。非同期ＨＡＲＱでは、搬送ブロックの送信が、任意のサブフレームにスケジュールされ、任意のサブフレームで送られることができ得る。ここに説明される手法は、同期ＨＡＲＱおよび非同期ＨＡＲＱの両方で使用されることができ得る。
【００２０】
図２に示されているように、ｅＮＢは、ＵＥに、各搬送ブロック送信とともにＤＣＩを送ることができ得る。所与の搬送ブロック送信のためのＤＣＩは、ＵＥのためのＰＤＣＣＨ付与を含むことができ得る。「付与」および「割り当て」という用語は、しばしば互換的に使用される。ＰＤＣＣＨ付与は、ニューデータインジケータ（ＮＤＩ）、ＭＣＳインデックス、リソース割り当て情報、等を含むことができ得る。ＮＤＩは、搬送ブロックの第１の送信のために切り換えられる（toggled）ことができ、その搬送ブロックの後続の各送信のために同一値で維持されることができ得る。（半永久的なスケジューリングにおいて、ＮＤＩは、新たな搬送ブロックでは「０」に、または、現在の搬送ブロックの別の送信では「１」に設定されることができ得る。）リソース割り当て情報は、搬送ブロックの送信のためにＵＥに割り当てられるリソースブロックの番号を示すことができ得る。ＬＴＥでは、ＭＣＳインデックスは、０乃至３１の範囲内の５ビット値であることができ得る。０乃至２８の範囲内の各ＭＣＳインデックス値は、特定の変調順序と特定のＴＢＳインデックス値に関連づけられることができ得る。搬送ブロックのＴＢサイズは、ＴＢＳインデックス値、および割り当てられたリソースブロックの番号に基づいて、決定されることができ得る。２９乃至３１の範囲内の各ＭＣＳインデックス値は、ダウンリンクの特定の変調順序、またはアップリンクの特定の重複バージョン（redundancy version）に関連づけられることができ得るが、ＴＢＳインデックス値には関連づけられない。２９乃至３１の範囲内のＭＣＳインデックスのＴＢサイズは、同一の搬送ブロックのための、一番最新のＰＤＣＣＨ付与または最初のＰＤＣＣＨ付与のいずれかのＴＢサイズに等しいことができ、それは、０乃至２８の範囲内のＭＣＳインデックスを含むべきである。（一番最新のおよび最初のＰＤＣＣＨ付与間の違いは、以下で説明される。）このように、ＴＢサイズは、（ｉ）０乃至２８の範囲内のＭＣＳインデックスによって明示的に伝達されるか、または、（ｉｉ）２９乃至３１の範囲内のＭＣＳインデックスによって暗示的に伝達されるか、であり得る。ＤＣＩは、搬送ブロックの送信のための他のパラメータを含むこともでき得る。たとえば、ＤＣＩは、ダウンリンクのデータ送信のためのＨＡＲＱプロセスＩＤ、アップリンクの非周期的（aperiodic）チャネル品質インジケータ（ＣＱＩ）要求、等を含むことができ得る。
【００２１】
ＵＥは、搬送ブロックの送信を、受信し、その送信とともに送られたＤＣＩに基づいて処理でき得る。ＵＥは、その送信が、新たな搬送ブロックのためのものか、現在の搬送ブロックのためのものかを、ＮＤＩが切り換えられているか否かに基づいて、決定でき得る。ＵＥは、搬送ブロックのための、ソフトシンボルまたは対数尤度比（ＬＬＲ：log-likelihood ratios）を記憶するためのバッファを維持でき、そのソフトシンボルに基づいて、搬送ブロックを復号でき得る。ＵＥは、（ｉ）ＮＤＩが切り換えられているのであれば、新たな搬送ブロックのためにバッファをクリアでき、および、(ｉｉ)ＮＤＩが切り換えられていなければ、バッファを保持し、現在の搬送ブロックを復号するためにバッファにおけるソフトシンボルを使用でき得る。ＵＥは、送信のためのＭＣＳインデックスおよびリソース割り当てに基づいて、搬送ブロックのＴＢサイズを決定でき得る。ＵＥは、ＤＣＩから他のパラメータを得ることもでき、ＤＣＩに基づいて送信を処理でき得る。
【００２２】
ＵＥは、一致しない制御情報を受信でき、それは、さまざまな方法で定義されることができ得る。１つの設計において、制御情報は、同一の搬送ブロックのための複数のＰＤＣＣＨ付与が異なるＴＢサイズを示す場合に、一致しないものと考えられることができ得る。別の設計において、制御情報は、複数のＰＤＣＣＨ付与が所与のパラメータについて異なる値を示す場合に、一致しないものと考えられることができ得る。さらなる別の設計において、制御情報は、あるパラメータのための値が、そのパラメータのための許容された値のセットのうちの１つでない場合に、一致しないものと考えられることができ得る。たとえば、割り当てられたリソースブロックの番号は、２、３、または５の整数倍に制限されることができ得る。この場合、そのリソースブロックに７が割り当てられているＰＤＣＣＨ付与は、一致しない制御情報を含むものと考えられるであろう。一致しない制御情報は、他の方法で定義されることもでき得る。
【００２３】
図３は、一致しない制御情報を受信するＵＥの一例を示す。図３に示す例では、ＵＥが、サブフレームｔにおいて、切り換えられたＮＤＩと第１のＴＢサイズのＴＢＳ１を有する所与のＨＡＲＱプロセスのための第１のＰＤＣＣＨ付与を受信する。ＵＥは、サブフレームｔ＋Ｍにおいて、切り換えられていないＮＤＩと第２のＴＢサイズのＴＢＳ２を有する同一のＨＡＲＱプロセスのための第２のＰＤＣＣＨ付与を受信する。第２のＴＢサイズは、第１のＴＢサイズとは異なる。ＵＥは、サブフレームｔ＋２Ｍにおいて、切り換えられていないＮＤＩと第２のＴＢサイズのＴＢＳ２を有する同一のＨＡＲＱプロセスのための第３のＰＤＣＣＨ付与を受信する。
【００２４】
図３に示すように、ＵＥは、同一のＨＡＲＱプロセスのための３つのＰＤＣＣＨ付与を受信する。これらのＰＤＣＣＨ付与は、（ｉ）ＵＥへのダウンリンクのデータ送信のためのダウンリンク割り当て、または、（ｉｉ）ＵＥによるアップリンクのデータ送信のためのアップリンク割り当て、であることができ得る。ＮＤＩは、サブフレームｔにおける第１のＰＤＣＣＨ付与のみのために切り換えられ、サブフレームｔ＋Ｍおよびｔ＋２Ｍにおける後続のＰＤＣＣＨ付与では切り換えられないので、ＵＥは、サブフレームｔ、ｔ＋Ｍ、およびｔ＋２Ｍにおける３つのＰＤＣＣＨ付与を、同一の搬送ブロックの３つの送信のためのものであると解釈する。一般的に、ＮＤＩが切り換えられている場合のＰＤＣＣＨ付与と、ＮＤＩが切り換えられていない後続の全ＰＤＣＣＨ付与は、同一の搬送ブロックのためのＰＤＣＣＨ付与であると考えられることができ得る。しかしながら、図３における３つのＰＤＣＣＨ付与のためのＴＢサイズは、一致しない。特に、第１のＰＤＣＣＨ付与が、ＴＢＳ１のＴＢサイズを示すのに対し、２つの後続のＰＤＣＣＨ付与は、ＴＢＳ２のＴＢサイズを示し、それは、ＴＢＳ１に等しいものではない。
【００２５】
一般的に、ＵＥは、ダウンリンクのデータ送信のための一致しない制御情報および／またはアップリンクのデータ送信のための一致しない制御情報を受信でき得る。各リンクのデータ送信のための一致しない制御情報は、異なるＴＢサイズを示す同一の搬送ブロックのための複数のＰＤＣＣＨ付与によって定義されることができ得る。一致しない制御情報は、さまざまな方法で対処されることができ得る。
【００２６】
一致しない制御情報に対処するための第１のスキームにおいて、異なる解釈が、ダウンリンクおよびアップリンクのための一致しない制御情報のために使用されることができ得る。１つの設計において、ダウンリンクのための一致しない制御情報が、保持されることができ得るのに対し、アップリンクのための一致しない制御情報は、破棄されることができ得る。ダウンリンクのために、一致しない制御情報を保持することは、一致しない制御情報を有するＰＤＣＣＨ付与を維持すること、および、ことによるとＵＥのバッファをクリアすることを含み得るので、新たな搬送ブロックのためのソフトシンボルが、古い搬送ブロックのためのソフトシンボルに取って代わり得る。この動作は、ｅＮＢが、トラヒック情報、サービス品質（ＱｏＳ）情報、および、ＵＥに送るデータの待ち行列情報を有することができ得るので、ダウンリンクで所望され得る。したがって、ｅＮＢからの最も新しいＰＤＣＣＨ付与をフォローすることが、ＵＥにとって好ましい。アップリンクのために、一致しない制御情報を破棄することは、一致しない制御情報を有するＰＤＣＣＨ付与を破棄すること、および、有効なＰＤＣＣＨ付与に逆戻りすることを含むことができ得る。この動作は、ｅＮＢが、ＵＥによって送られるデータに関する十分な情報を持ち得ないために、アップリンクで所望され得る。さらに、一致しない制御情報は、ＵＥでの復号エラーによるものであり得る。
【００２７】
第１のスキームにおいて、ダウンリンクで送られる搬送ブロックは、１つ以上のＴＢサイズを有することができ得る。図３に示す例において、第２および第３のＰＤＣＣＨ付与は、どちらも有効な割り当てとして考慮されるであろう。第２のＴＢサイズのＴＢＳ２は、サブフレームｔ＋Ｍおよびｔ＋２Ｍにおける、それぞれ、第２および第３の搬送ブロック送信のために、第１のＴＢサイズのＴＢＳ１に取って代わるであろう。所与のＰＤＣＣＨ付与において、ＭＣＳインデックスが０乃至２８の範囲内である場合には、搬送ブロックのＴＢサイズは、上述したように、ＭＣＳインデックスおよび割り当てられたリソースブロックの番号に基づいて決定されることができ得る。ＭＣＳインデックスが２９乃至３１の範囲内である場合には、ＴＢサイズは、０乃至２８の範囲内のＭＣＳインデックスを有する同一の搬送ブロックのための一番最新のＰＤＣＣＨ付与に基づいて決定されることができ得る。
【００２８】
第１のスキームにおいて、アップリンクで送られる搬送ブロックは、ただ１つのＴＢサイズを有することができ得る。図３に示す例において、第２および第３のＰＤＣＣＨ付与は、どちらも破棄されるであろう。１つの設計において、第１のＰＤＣＣＨ付与および第１のＴＢサイズのＴＢＳ１が、サブフレームｔ＋Ｍおよびｔ＋２Ｍで送られる、それぞれ、第２および第３の搬送ブロック送信のために使用されることができ得る。搬送ブロックのための任意の一致しないＴＢサイズは破棄されるであろうから、各搬送ブロック送信のためのＴＢサイズは、搬送ブロックのための第１の／最初のＰＤＣＣＨ付与のＴＢサイズに基づいて決定されることができ得る。所与のＰＤＣＣＨ付与において、ＭＣＳインデックスが０乃至２８の範囲内である場合には、搬送ブロックのＴＢサイズは、上述されたように、ＭＣＳインデックスおよび割り当てられたリソースブロックの番号に基づいて決定されることができ得る。ＭＣＳインデックスが２９乃至３１の範囲内である場合には、ＴＢサイズは、０乃至２８の範囲内のＭＣＳインデックスを有する同一の搬送ブロックのための最初のＰＤＣＣＨ付与に基づいて決定されることができ得る。別の設計において、アップリンクの送信は、一致しない制御情報を有する各ＰＤＣＣＨ付与のためにスキップされることができ得る。
【００２９】
ダウンリンクのための一致しない制御情報を保持し、アップリンクのための一致しない制御情報を破棄するためのＵＥの動作が、以下にさらに詳細に説明される。
【００３０】
第２のスキームにおいて、ダウンリンクとアップリンクのための一致しない制御情報は、どちらも破棄されることができ得る。一致しない制御情報は、同一の搬送ブロックのための複数のＰＤＣＣＨ付与の異なるＴＢサイズに起因することができ得る。一致しない制御情報を破棄することは、一致しない制御情報を有するＰＤＣＣＨ付与を破棄すること、および、有効なＰＤＣＣＨ付与に逆戻りすることを含むことができ得る。図３に示す例において、サブフレームｔ＋Ｍにおける第２のＰＤＣＣＨ付与は、第２のＴＢサイズが第１のＴＢサイズに等しいものでないため、ＵＥによって破棄されることができ得る。ダウンリンクでは、ＵＥが、その搬送ブロックの前の送信から得られたソフトシンボルのバッファを保持でき得る。アップリンクでは、ＵＥが、サブフレームｔ＋Ｍにおいて搬送ブロックの送信を送ることをスキップでき得る。アップリンクのこの動作は、第１のスキームに適用可能であることもでき得る。
【００３１】
第２のスキームでは、ＰＤＣＣＨ付与が、一致しないと考えられる制御情報を含む場合に、破棄されることができ得る。破棄されたＰＤＣＣＨ付与は、今後の基準のために使用されないであろう。その代わりに、最初のＰＤＣＣＨ付与が、基準として使用されることができ、同一の搬送ブロックのための後のＰＤＣＣＨ付与は、それと比較される。図３に示す例では、第２のＰＤＣＣＨ付与が破棄されるので、ＵＥは、サブフレームｔ＋２Ｍで受信される第３のＰＤＣＣＨ付与を、サブフレームｔで受信された第１のＰＤＣＣＨ付与と比較でき得る。この例において、ＵＥは、また、第３のＰＤＣＣＨ付与を、それがサブフレームｔにおける第１のＰＤＣＣＨ付与と比較して一致しない制御情報を含むため（第３のＰＤＣＣＨ付与のためのＴＢサイズが、第１のＰＤＣＣＨ付与のためのＴＢサイズとは異なるため）に、破棄するであろう。
【００３２】
アップリンクのために、ＵＥは、第１のＰＤＣＣＨ付与を正しく受信でき、ＴＢＳ１のＴＢサイズを得ることができ得る。そして、ＵＥは、第１のＰＤＣＣＨ付与のためのＴＢＳ１のサイズを有する搬送ブロックの送信を送ることができ得る。あるいは、ＵＥは、第１のＰＤＣＣＨ付与を逃し得るが、第２のＰＤＣＣＨ付与を正しく受信でき、ＴＢＳ２のＴＢサイズを得ることができ得る。この場合、ＵＥは、第１のＰＤＣＣＨ付与のための送信を送ることはできないが、第２のＰＤＣＣＨ付与のためのＴＢＳ２のサイズを有する搬送ブロックの送信を送ることができ得る。ｅＮＢは、ブラインド（blind）復号／検出を実行でき、ＴＢＳ１およびＴＢＳ２の異なるＴＢサイズに基づいて、ＵＥからの送信の復号を試みることができ得る。アップリンクのこの動作は、第１のスキームにも適用可能であることができ得る。
【００３３】
第３のスキームにおいて、ダウンリンクおよびアップリンクのための一致しない制御情報が、どちらも保持されることができ得る。一致しない制御情報を保持することは、一致しない制御情報を有するＰＤＣＣＨ付与を維持および使用することを含むことができ得る。第３のスキームにおいて、搬送ブロックは、異なるＴＢサイズを有することができ得る。図３に示す例において、ＵＥは、たとえ第２のＴＢサイズが第１のＴＢサイズに等しくなくても、サブフレームｔ＋Ｍで受信された第２のＰＤＣＣＨ付与を保持でき得る。ダウンリンクでは、ＵＥは、第２のＰＤＣＣＨ付与に基づいて搬送ブロックの第２の送信を処理でき得る。アップリンクでは、ＵＥは、第１のＴＢサイズのＴＢＳ１に基づいて構築された現在のプロトコルデータユニット（ＰＤＵ）を、第２のＴＢサイズのＴＢＳ２に基づいて構築された新たなＰＤＵと、取り替えることができ得る。ＵＥは、他のＨ−ＡＲＱパラメータを更新または保持し続けることができ、それは、一致しない制御情報によってインパクト（impact）されるべきでない。たとえば、ＵＥは、搬送ブロックのために送られる、送信回数を示す CURRENT_TX_NB パラメータを（リセットする代わりに）インクリメントし続けることができ得る。同様に、ＵＥは、サブフレームｔ＋２Ｍで受信された第３のＰＤＣＣＨ付与を保持でき得る。
【００３４】
ダウンリンクおよびアップリンクの両方のために、ＵＥは、０乃至２８の範囲内のＭＣＳインデックスを有するＰＤＣＣＨ付与を受信でき、ＭＣＳインデックスおよび割り当てられたリソースブロックの番号に基づいて、ＴＢサイズを決定でき得る。ＵＥは、また、２９乃至３１の範囲内のＭＣＳインデックスを有するＰＤＣＣＨ付与を受信でき、０乃至２８の範囲内のＭＣＳインデックスを有する同一の搬送ブロックのための一番最新のＰＤＣＣＨ付与に基づいて、ＴＢサイズを決定でき得る。図３に示す例では、サブフレームｔ＋Ｍにおける第２のＰＤＣＣＨ付与が、第２のＴＢサイズのＴＢＳ２を伝達するために、０乃至２８の範囲内のＭＣＳインデックスを含むことができ得る。サブフレームｔ＋２Ｍにおける第３のＰＤＣＣＨ付与が、２９乃至３１の範囲内のＭＣＳインデックスを含む場合には、第２のＰＤＣＣＨ付与による第２のＴＢサイズのＴＢＳ２が、サブフレームｔ＋２Ｍにおける搬送ブロックの第３の送信のために使用されることができ得る。この動作は、第１のスキームにも適用可能であることができ得る。
【００３５】
ＵＥは、第２のＰＤＣＣＨ付与を正しく受信でき、第２のＴＢサイズを得ることができ、それは、０乃至２８の範囲内のＭＣＳインデックスによって示されることができ得る。第３のＰＤＣＣＨ付与は、２９乃至３１の範囲内のＭＣＳインデックスを含むことができ、すると、ＵＥは、同一の搬送ブロックのための第２のＰＤＣＣＨによる第２のＴＢサイズを使用でき得る。しかしながら、ＵＥが第２のＰＤＣＣＨ付与を逃すものの２９乃至３１の範囲内のＭＣＳインデックスを有する第３のＰＤＣＣＨ付与を正しく受信した場合には、ＵＥは、第１のＰＤＣＣＨ付与による第１のＴＢサイズを使用でき得る。このように、ＵＥは、第２のＰＤＣＣＨ付与が正しく受信されたか誤って受信されたかどうかによって、第３の送信のために異なるＴＢサイズを使用でき得る。ｅＮＢは、ＵＥがＰＤＣＣＨ付与を逃したことを明らかにする異なるＴＢサイズのために、ＵＥからの送信のためのブラインド復号を実行でき得る。
【００３６】
第４のスキームにおいて、ダウンリンクおよびアップリンクの両方のための一致しない制御情報は、同一の搬送ブロックのＰＤＣＣＨ付与にとって重要なパラメータに対する変更を規定しないことによって回避されることができ得る。たとえば、ＴＢサイズは、同一のＨ−ＡＲＱプロセスにおける同一のＮＤＩのためのすべてのＰＤＣＣＨ付与のために同一であるように規定されることができ得る。これは、ｅＮＢスケジューリングによる異なるＴＢサイズを回避でき得る。ｅＮＢは、同一のＴＢサイズを有するＰＤＣＣＨ付与を送ることができ得るが、ＵＥは、復号エラーにより異なるＴＢサイズを受信でき得る。結果、上述された第１、第２、または第３のスキームが、ＵＥによって受信された異なるＴＢサイズに対処するために使用されることができ得る。
【００３７】
表１は、一致しない制御情報に対処するための、上述された４つのスキームを要約したものである。
【表１】
0005529252.tif 000002
【００３８】
ＵＥは、２９乃至３１の範囲内のＭＣＳインデックスを有するＰＤＣＣＨ付与を受信でき得る。一致しない制御情報が保持される場合には、ＵＥは、０乃至２８の範囲内のＭＣＳインデックスを有する同一の搬送ブロックのための一番最新のＰＤＣＣＨ付与に基づいて、現在のＰＤＣＣＨ付与のためのＴＢサイズを決定でき得る。一致しない制御情報が破棄される場合には、ＵＥは、同一の搬送ブロックのための最初のＰＤＣＣＨ付与に基づいて、現在のＰＤＣＣＨ付与のためのＴＢサイズを決定でき、それは、０乃至２８の範囲内のＭＣＳインデックスを有するべきである。上記の動作は、ダウンリンクおよびアップリンクの両方に適用可能であることができ得る。
【００３９】
図４は、無線通信システムにおける制御情報の受信プロセス４００の設計を示す。プロセス４００は、（以下に説明されるように）ＵＥによって、または、ある他のエンティティによって実行されることができ得る。ＵＥは、第１のデータ送信のための第１の制御情報を有する第１の付与を受信でき得る（ブロック４１２）。その後に、ＵＥは、第２のデータ送信のための第２の制御情報を有する第２の付与を受信でき得る（ブロック４１４）。ＵＥは、異なる時間間隔、たとえば、異なるサブフレームにおいて、第１および第２の付与を受信でき得る。ＵＥは、第２の制御情報が第１の制御情報と一致しないと決定でき得る（ブロック４１６）。ＵＥは、第１および第２の付与がダウンリンクまたはアップリンクのデータ送信のためのものかどうかに基づいて、第２の付与を保持または破棄するかどうかを、決定でき得る（ブロック４１８）。ＵＥは、第１および第２の付与が、同一の搬送ブロックのためのものかどうかにさらに基づいて、第２の付与を保持または破棄するかどうかを決定でき、それは、各付与において送られるＮＤＩおよびＨＡＲＱプロセスＩＤに基づいて決定されることができ得る。Ｈ−ＡＲＱプロセスＩＤは、（たとえば、ダウンリンク付与の場合には）明示的に示されることができ、または、（たとえば、アップリンク付与の場合には）暗示的に示されることができ得る。
【００４０】
ブロック４１６の１つの設計において、第１の制御情報は、パラメータのための第１の値を含むことができ、第２の制御情報は、パラメータのための第２の値を含むことができ得る。第２の制御情報は、第２の値が第１の値とは異なるために、第１の制御情報と一致しないものと考えられることができ得る。別の設計において、第１の制御情報は、第１の搬送ブロックサイズを含むことができ、第２の制御情報は、第２の搬送ブロックサイズを含むことができ得る。第２の制御情報は、第２の搬送ブロックサイズが第１の搬送ブロックサイズとは異なるために、第１の制御情報と一致しないものと考えられることができ得る。一致しない制御情報は、他の方法で決定されることもでき得る。
【００４１】
上述した第１のスキームにおいて、ＵＥは、第１および第２の付与がダウンリンクのデータ送信のためのものである場合、ブロック４１８で第２の付与を保持でき得る。第１および第２の付与は、ある搬送ブロックのための最も新しい２つの付与であることができ得る。異なる搬送ブロックサイズが、その搬送ブロックの異なるデータ送信のために許容されることができ得る。ＵＥは、一致しない制御情報を検出するために、その搬送ブロックのための後続の付与を、第２の／一番最新の付与と比較でき得る。第２の付与は、ある搬送ブロックのための明示的な搬送ブロックサイズを伝達しないことができ得る。たとえば、第２の付与は、２９乃至３１の範囲内のＭＣＳインデックスを含むことができ得る。ＵＥは、明示的な搬送ブロックサイズ、たとえば、０乃至２８の範囲内のＭＣＳインデックスを有する搬送ブロックのための一番最新の付与に基づいて、第２のデータ送信のための搬送ブロックサイズを決定でき得る。
【００４２】
上述された第１のスキームにおいて、ＵＥは、第１および第２の付与がアップリンクのデータ送信のためのものである場合、ブロック４１８において、第２の付与を破棄でき得る。第１の付与は、ある搬送ブロックのための最初の付与であることができ、第２の付与は、その搬送ブロックのための最も新しい付与であることができ得る。単一の搬送ブロックサイズが、その搬送ブロックの異なるデータ送信のために許容されることができ得る。ＵＥは、一致しない制御情報を検出するために、その搬送ブロックのための後続の付与を第１の／最初の付与と比較でき得る。最初の付与は、明示的な搬送ブロックサイズを伝達でき、たとえば、０乃至２８の範囲内のＭＣＳインデックスを有することができ得る。第２の付与は、明示的な搬送ブロックサイズを伝達せず、たとえば、２９乃至３１の範囲内のＭＣＳインデックスを有することができ得る。ＵＥは、最初の付与における明示的な搬送ブロックサイズに基づいて、第２のデータ送信のための搬送ブロックサイズを決定でき得る。
【００４３】
ＵＥは、また、他の方法で第２の付与を保持または破棄でき得る。たとえば、ＵＥは、上述された第２、第３、または第４のスキームに基づいて、第２の付与を保持または破棄でき得る。
【００４４】
１つの設計において、第１および第２の付与は、ダウンリンクのデータ送信のためのものであることができ得る。ＵＥは、第１の制御情報に基づいて第１のデータ送信を受信および処理でき得る。ＵＥは、また、第２の制御情報に基づいて第２のデータ送信を受信および処理でき得る。別の設計において、第１および第２の付与は、アップリンクのデータ送信のためのものであることができ得る。ＵＥは、第１の制御情報に基づいて第１のデータ送信を送ることができ得る。ＵＥは、第２の制御情報が第１の制御情報と一致しないために、第２のデータ送信を送ることをスキップでき得る。あるいは、ＵＥは、第１の制御情報に基づいて、第２のデータ送信を送ることができ得る。
【００４５】
図５は、無線通信システムにおいて制御情報を送るプロセス５００の設計を示す。プロセス５００は、（以下に説明されるように）基地局／ｅＮＢによって、または、ある他のエンティティによって、実行されることができ得る。基地局は、ＵＥに、第１のデータ送信のための第１の制御情報を有する第１の付与を送ることができ得る（ブロック５１２）。基地局は、ＵＥに、第２のデータ送信のための第２の制御情報を有する第２の付与を送ることもでき得る（ブロック５１４）。第２の制御情報は、ＵＥによって、第１の制御情報と一致しないものと考えられることができ得る。たとえば、第１の制御情報は、第１の搬送ブロックサイズを含むことができ、第２の制御情報は、第２の搬送ブロックサイズを含むことができ得る。第２の制御情報は、第２の搬送ブロックサイズが第１の搬送ブロックサイズとは異なるために、ＵＥによって、第１の制御情報と一致しないものと考えられることができ得る。
【００４６】
基地局は、第１および第２の付与がダウンリンクまたはアップリンクのデータ送信のためのものかどうかに基づいて、第１および第２のデータ送信を処理でき得る（ブロック５１６）。１つの設計において、第１および第２の付与は、ダウンリンクのデータ送信のためのものであることができ得る。基地局は、第１の制御情報に基づいて第１のデータ送信を送ることができ、第２の制御情報に基づいて第２のデータ送信を送ることができ得る。別の設計において、第１および第２の付与は、アップリンクのデータ送信のためのものであることができ得る。基地局は、第１の制御情報に基づいて第１のデータ送信を受信および処理でき、また、第２の制御情報に基づいて第２のデータ送信を受信および処理でき得る。基地局は、第２のデータ送信が第２の制御情報に基づいて処理されたときに復号エラーがそのために得られた場合、第２のデータ送信のためのブラインド復号を実行でき得る。
【００４７】
図６は、基地局／ｅＮＢ１１０およびＵＥ１２０の設計のブロック図を示し、それらは、図１の基地局／ｅＮＢのうちの１つおよびＵＥのうちの１つであることができ得る。基地局１１０は、Ｔ個のアンテナ６３４ａ乃至６３４ｔを装備でき、ＵＥ１２０は、Ｒ個のアンテナ６５２ａ乃至６５２ｒを装備でき、ここで、一般的にＴ≧１およびＲ≧１である。
【００４８】
基地局１１０で、送信プロセッサ６２０は、データソース６１２から１つ以上のＵＥのためのデータを、制御装置／プロセッサ６４０から制御情報（たとえば、ＰＤＣＣＨ付与）を受信でき得る。プロセッサ６２０は、データシンボルおよび制御シンボルを得るために、それぞれ、データおよび制御情報を処理（たとえば、符号化、インターリーブ、および変調）でき得る。送信（ＴＸ）マルチ多入力多出力（ＭＩＭＯ）プロセッサ６３０が、適宜、データシンボル、制御シンボル、および／または基準シンボルに空間処理（たとえば、プリコーディング）を実行でき、Ｔ個の変調器（ＭＯＤ）６３２ａ乃至６３２ｔにＴ個の出力シンボルストリームを供給でき得る。各変調器６３２は、（たとえば、ＯＦＤＭ、等のための）各出力シンボルストリームを処理し、出力サンプルストリームを得ることができ得る。各変調器６３２は、出力サンプルストリームをさらに処理（たとえば、アナログコンバート、増幅、フィルタリング、およびアップコンバート）し、ダウンリンク信号を得ることができ得る。変調器６３２ａ乃至６３２ｔからのＴ個のダウンリンク信号は、それぞれ、Ｔ個のアンテナ６３４ａ乃至６３４ｔを介して送信されることができ得る。
【００４９】
ＵＥ１２０で、アンテナ６５２ａ乃至６５２ｒは、基地局１１０からのダウンリンク信号を受信でき、受信された信号を、復調器（ＤＥＭＯＤ）６５４ａ乃至６５４ｒにそれぞれ供給でき得る。各復調器６５４は、その受信された信号を調整（たとえば、フィルタリング、増幅、ダウンコンバート、およびデジタル化）して、入力サンプルを得ることができ得る。各復調器６５４は、（たとえば、ＯＦＤＭ、等のための）入力サンプルをさらに処理し、受信されたシンボルを得ることができ得る。ＭＩＭＯ検出器６５６は、すべてのＲ個の復調器６５４ａ乃至６５４ｒから受信されたシンボルを得て、適宜、受信されたシンボルのＭＩＭＯ検出を実行し、検出されたシンボルを供給でき得る。受信プロセッサ６５８は、検出されたシンボルを処理（たとえば、復調、デインターリーブ、および復号）でき、データシンク６６０にＵＥ１２０のための復号されたデータを供給し、制御装置／プロセッサ６８０に復号された制御情報を提供でき得る。
【００５０】
アップリンクでは、ＵＥ１２０で、送信プロセッサ６６４が、データソース６６２からデータを、制御装置／プロセッサ６８０から制御情報を、受信および処理でき得る。送信プロセッサ６６４からのシンボルは、適宜、ＴＸ ＭＩＭＯプロセッサによってプリコーディングされ、変調器６５４ａ乃至６５４ｒによって（たとえば、ＳＣ−ＦＤＭ、等のために）さらに処理され、基地局１１０に送信されることができ得る。基地局１１０で、ＵＥ１２０からのアップリンク信号は、アンテナ６３４によって受信され、復調器６３２によって処理され、適宜、ＭＩＭＯ検出器６３６によって検出され、受信プロセッサ６３８によってさらに処理され、ＵＥ１２０によって送られた、復号されたデータおよび制御情報が得られることができ得る。プロセッサ６３８は、データシンク６３９に復号されたデータを、制御装置／プロセッサ６４０に復号された制御情報を供給でき得る。
【００５１】
制御装置／プロセッサ６４０および６８０は、それぞれ、基地局１１０およびＵＥ１２０での動作を指示でき得る。基地局１１０のプロセッサ６４０および／または他のプロセッサおよびモジュールは、図５のプロセス５００および／またはここに説明される手法のための他のプロセスを実行または指示でき得る。ＵＥ１２０のプロセッサ６８０および／または他のプロセッサおよびモジュールは、図４のプロセス４００および／またはここに説明された手法のための他のプロセスを実行または指示でき得る。メモリ６４２および６８２は、それぞれ、基地局１１０およびＵＥ１２０のためのデータおよびプログラムコードを記憶でき得る。スケジューラ６４４は、ダウンリンクおよび／またはアップリンクのデータ送信のためにＵＥをスケジューリングでき得る。
【００５２】
１つの構成において、無線通信のための装置１１０は、ＵＥに第１のデータ送信のための第１の制御情報を有する第１の付与を送るための手段と、ＵＥに第２のデータ送信のための第２の制御情報を有する第２の付与を送るための手段と、第１および第２の付与がダウンリンクまたはアップリンクのデータ送信のためのものかどうかに基づいて第１および第２のデータ送信を処理するための手段と、を含むことができ得る。上記手段は、上記手段によって説明された機能を実行するように構成された（単数または複数の）プロセッサ６２０、６３８、および／または６４０であることができ得る。上記手段は、上記手段によって説明された機能を実行するように構成されたモジュールまたは任意の装置であることもでき得る。
【００５３】
別の構成において、無線通信のための装置１２０は、第１のデータ送信のための第１の制御情報を有する第１の付与を受信するための手段と、第２のデータ送信のための第２の制御情報を有する第２の付与を受信するための手段と、第２の制御情報が第１の制御情報と一致しないと決定するための手段と、第１および第２の付与がダウンリンクまたはアップリンクのデータ送信のためのものかどうかに基づいて第２の付与を保持または破棄するかどうかを決定するための手段と、を含むことができ得る。上記手段は、上記手段によって説明された機能を実行するように構成された（単数または複数の）プロセッサ６５８および／または６８０であることができ得る。上記手段は、上記手段によって説明された機能を実行するように構成されたモジュールまたは任意の装置であることもでき得る。
【００５４】
当業者は、情報および信号が、さまざまな異なる技術および手法のうちのいずれかを使用して表されることができ得ることを理解するであろう。たとえば、上記説明を通して言及されることができ得るデータ、命令、コマンド、情報、信号、ビット、シンボル、およびチップは、電圧、電流、電磁波、磁場または磁性粒子、光場または光粒子、またはそれらの任意の組み合わせによって表されることができ得る。
【００５５】
当業者は、ここでの開示に関連して説明された、さまざまな例示的な論理ブロック、モジュール、回路、アルゴリズムステップが、電子ハードウェア、コンピュータソフトウェア、または、両者の組み合わせとして実現されることができ得るということをさらに理解するであろう。ハードウェアおよびソフトウェアのこの相互互換性を明確に説明するために、さまざまな例示的なコンポーネント、ブロック、モジュール、回路、およびステップが、それらの機能の点で概して上述されている。そのような機能がハードウェアまたはソフトウェアとして実現されるかどうかは、システム全体に課せられた特定の用途および設計の制約に依存する。当業者は、特定の用途ごとに異なる方法で、説明された機能を実現できるが、そのような実現の決定は、本開示の範囲から逸脱を生じるものと解釈されるべきでない。
【００５６】
ここでの開示に関連して説明された、さまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブル論理デバイス、離散ゲートまたはトランジスタ論理、離散ハードウェアコンポーネント、または、ここに説明された機能を実行するように設計されたそれらの任意の組み合わせを用いて、実現または実行されることができ得る。汎用プロセッサは、マイクロプロセッサであることができ得るが、その代わりに、プロセッサは、任意の従来のプロセッサ、制御装置、マイクロ制御装置、またはステートマシンであることができ得る。プロセッサは、コンピュータデバイスの組み合わせ、たとえば、ＤＳＰと、１つのマイクロプロセッサ、複数のマイクロプロセッサ、ＤＳＰコア併用型の１つ以上のマイクロプロセッサとの組み合わせ、または、任意の他のそのような構成として実現されることもでき得る。
【００５７】
ここでの開示に関連して説明されたアルゴリズムまたは方法のステップは、ハードウェアで直接的に、プロセッサによって実行されるソフトウェアモジュールにおいて、または、両者の組み合わせにおいて、具体化されることができ得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または、当該技術で周知の任意の他の形態の記憶媒体中に存在でき得る。例示的な記憶媒体は、プロセッサに結合されるので、プロセッサは、記憶媒体から情報を読み出すことができ、記憶媒体に情報を書き込むことができる。あるいは、記憶媒体は、プロセッサに組み込まれることができ得る。プロセッサおよび記憶媒体は、ＡＳＩＣの中に存在でき得る。ＡＳＩＣは、ユーザー端末の中に存在でき得る。あるいは、プロセッサおよび記憶媒体は、ユーザー端末の中の離散コンポーネントとして存在でき得る。
【００５８】
１つ以上の例示的な設計において、説明された機能は、ハードウェア、ソフトウェア、ファームウェア、またはそれらの任意の組み合わせにおいて実現されることができ得る。ソフトウェアで実現される場合、機能は、コンピュータ可読媒体上の１つ以上の命令またはコードとして、記憶または伝送されることができ得る。コンピュータ可読媒体は、１つの場所から別の場所へのコンピュータプログラムの転送を容易にする任意の媒体を含む通信媒体およびコンピュータ記憶媒体の両者を含む。記憶媒体は、汎用または専用コンピュータによってアクセスできる任意の入手可能な媒体であることができ得る。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、または、汎用または専用コンピュータ、または、汎用または専用プロセッサによってアクセスされることができ、命令またはデータ構造の形態で所望のプログラムコード手段を搬送または記憶するために使用されることができる、任意の他の媒体を含むことができる。任意の接続もまた、厳密にはコンピュータ可読媒体と呼ばれる。たとえば、ソフトウェアが、同軸ケーブル、光ファイバーケーブル、ツイストペア、デジタル加入者回線（ＤＳＬ）、または、赤外線、無線、およびマイクロ波といった無線技術を使用して、ウェブサイト、サーバー、または他のリモートソースから伝送される場合には、同軸ケーブル、光ファイバーケーブル、ツイストペア、ＤＳＬ、または赤外線、無線、およびマイクロ波といった無線技術が、媒体の定義に含まれる。ディスク（disk）およびディスク（disc）は、ここに使用される場合、コンパクトディスク（disc）（ＣＤ）、レーザー（登録商標）ディスク（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は、通常、磁気的にデータを再生するが、ディスク（disc）は、レーザーによって光学的にデータを再生する。上記したものの組み合わせもまた、コンピュータ可読媒体の範囲内に含まれるべきである。
【００５９】
本開示の先の説明は、本開示の製造または使用を当業者に可能にさせるために提供される。本開示へのさまざまな変更は、当業者には容易に理解され、ここに定義された一般的な原理は、本開示の精神または範囲から逸脱することなく他の変形例に適用されることができ得る。このように、本開示は、ここに説明された例および設計に限定されることを意図せず、ここに開示された原理および新規な特徴と一致する最も広い範囲が与えられるべきである。
なお、以下に、出願当初の特許請求の範囲に記載された発明を付記する。
［Ｃ１］第１のデータ送信のための第１の制御情報を有する第１の付与を受信することと、
第２のデータ送信のための第２の制御情報を有する第２の付与を受信することと、
前記第２の制御情報が前記第１の制御情報と一致しないと決定することと、
前記第１および第２の付与がダウンリンクまたはアップリンクのデータ送信のためのものかどうかに基づいて、前記第２の付与を保持または破棄するかどうかを決定することと
を含む、無線通信のための方法。
［Ｃ２］前記第１の制御情報が、パラメータのための第１の値を含み、前記第２の制御情報が、前記パラメータのための第２の値を含み、前記第２の制御情報が、前記第２の値が前記第１の値とは異なるために、前記第１の制御情報と一致しないものと考えられる、Ｃ１に記載の方法。
［Ｃ３］前記第１の制御情報が、第１の搬送ブロックサイズを含み、前記第２の制御情報が、第２の搬送ブロックサイズを含み、前記第２の制御情報が、前記第２の搬送ブロックサイズが前記第１の搬送ブロックサイズとは異なるために、前記第１の制御情報と一致しないものと考えられる、Ｃ１に記載の方法。
［Ｃ４］前記第２の付与を保持または破棄するかどうかを決定することが、前記第１および第２の付与が同一の搬送ブロックのためのものかどうかにさらに基づいて、前記第２の付与を保持または破棄するかどうかを決定することを含む、Ｃ１に記載の方法。
［Ｃ５］前記第２の付与を保持または破棄するかどうかを決定することが、前記第１および第２の付与が前記ダウンリンクのデータ送信のためのものである場合に前記第２の付与を保持することを含む、Ｃ１に記載の方法。
［Ｃ６］前記第１および第２の付与が、搬送ブロックのための最も新しい２つの付与であり、前記搬送ブロックのための後続の付与が、一致しない制御情報を検出するために、前記第２の付与と比較される、Ｃ５に記載の方法。
［Ｃ７］異なる搬送ブロックサイズが、搬送ブロックの異なるデータ送信のために許容される、Ｃ５に記載の方法。
［Ｃ８］前記第２の付与が搬送ブロックのための明示的な搬送ブロックサイズを伝達しない、Ｃ５に記載の方法であって、
明示的な搬送ブロックサイズを有する前記搬送ブロックのための一番最新の付与に基づいて、前記第２のデータ送信のための搬送ブロックサイズを決定すること
をさらに含む、Ｃ５に記載の方法。
［Ｃ９］前記第２の付与を保持または破棄するかどうかを決定することが、前記第１および第２の付与が前記アップリンクのデータ送信のためのものである場合に前記第２の付与を破棄することを含む、Ｃ１に記載の方法。
［Ｃ１０］前記第１の付与が、搬送ブロックのための最初の付与であり、前記第２の付与が、前記搬送ブロックのための最も新しい付与であり、前記搬送ブロックのための後続の付与が、一致しない制御情報を検出するために前記第１の付与と比較される、Ｃ９に記載の方法。
［Ｃ１１］単一の搬送ブロックサイズが、搬送ブロックの異なるデータ送信のために許容される、Ｃ９に記載の方法。
［Ｃ１２］前記最初の付与が、明示的な搬送ブロックサイズを伝達し、前記第２の付与が、明示的な搬送ブロックサイズを伝達しない、Ｃ１０に記載の方法であって、
前記最初の付与における前記明示的な搬送ブロックサイズに基づいて、前記第２のデータ送信のための搬送ブロックサイズを決定すること
をさらに含む、Ｃ１０に記載の方法。
［Ｃ１３］前記第１の制御情報に基づいて前記第１のデータ送信を受信および処理することと、
前記第２の制御情報に基づいて前記第２のデータ送信を受信および処理することと
をさらに含む、Ｃ１に記載の方法。
［Ｃ１４］前記第１の制御情報に基づいて前記第１のデータ送信を送ることと、
前記第２の制御情報が前記第１の制御情報と一致しないために、前記第２のデータ送信を送らないことと
をさらに含む、Ｃ１に記載の方法。
［Ｃ１５］第１のデータ送信のための第１の制御情報を有する第１の付与を受信する手段と、
第２のデータ送信のための第２の制御情報を有する第２の付与を受信する手段と、
前記第２の制御情報が前記第１の制御情報と一致しないと決定する手段と、
前記第１および第２の付与がダウンリンクまたはアップリンクのデータ送信のためのものかどうかに基づいて、前記第２の付与を保持または破棄するかどうかを決定する手段と
を含む、無線通信のための装置。
［Ｃ１６］前記第１の制御情報が、第１の搬送ブロックサイズを含み、前記第２の制御情報が、第２の搬送ブロックサイズを含み、前記第２の制御情報が、前記第２の搬送ブロックサイズが前記第１の搬送ブロックサイズとは異なるために、前記第１の制御情報と一致しないものと考えられる、Ｃ１５に記載の装置。
［Ｃ１７］前記第２の付与を保持または破棄するかどうかを決定する手段が、前記第１および第２の付与が前記ダウンリンクのデータ送信のためのものである場合に前記第２の付与を保持する手段を含む、Ｃ１５に記載の装置。
［Ｃ１８］前記第１および第２の付与が、搬送ブロックのための最も新しい２つの付与であり、前記搬送ブロックのための後続の付与が、一致しない制御情報を検出するために、前記第２の付与と比較される、Ｃ１７に記載の装置。
［Ｃ１９］前記第２の付与を保持または破棄するかどうかを決定する手段が、前記第１および第２の付与が前記アップリンクのデータ送信のためのものである場合に前記第２の付与を破棄する手段を含む、Ｃ１５に記載の装置。
［Ｃ２０］前記第１の付与が、搬送ブロックのための最初の付与であり、前記第２の付与が、前記搬送ブロックのための最も新しい付与であり、前記搬送ブロックのための後続の付与が、一致しない制御情報を検出するために前記第１の付与と比較される、Ｃ１９に記載の装置。
［Ｃ２１］第１のデータ送信のための第１の制御情報を有する第１の付与を受信し、
第２のデータ送信のための第２の制御情報を有する第２の付与を受信し、
前記第２の制御情報が前記第１の制御情報と一致しないと決定し、
前記第１および第２の付与がダウンリンクまたはアップリンクのデータ送信のためのものかどうかに基づいて、前記第２の付与を保持または破棄するかどうかを決定する
ように構成された少なくとも１つのプロセッサ
を含む、無線通信のための装置。
［Ｃ２２］前記第１の制御情報が、第１の搬送ブロックサイズを含み、前記第２の制御情報が、第２の搬送ブロックサイズを含み、前記第２の制御情報が、前記第２の搬送ブロックサイズが前記第１の搬送ブロックサイズとは異なるために、前記第１の制御情報と一致しないものと考えられる、Ｃ２１に記載の装置。
［Ｃ２３］前記少なくとも１つのプロセッサが、前記第１および第２の付与が前記ダウンリンクのデータ送信のためのものである場合に前記第２の付与を保持するように構成される、Ｃ２１に記載の装置。
［Ｃ２４］前記第１および第２の付与が、搬送ブロックのための最も新しい２つの付与であり、前記搬送ブロックのための後続の付与が、一致しない制御情報を検出するために、前記第２の付与と比較される、Ｃ２３に記載の装置。
［Ｃ２５］前記少なくとも１つのプロセッサが、前記第１および第２の付与が前記アップリンクのデータ送信のためのものである場合に前記第２の付与を破棄するように構成される、Ｃ２１に記載の装置。
［Ｃ２６］前記第１の付与が、搬送ブロックのための最初の付与であり、前記第２の付与が、前記搬送ブロックのための最も新しい付与であり、前記搬送ブロックのための後続の付与が、一致しない制御情報を検出するために前記第１の付与と比較される、Ｃ２５に記載の装置。
［Ｃ２７］第１のデータ送信のための第１の制御情報を有する第１の付与を受信するように少なくとも１つのプロセッサにさせるためのコードと、
第２のデータ送信のための第２の制御情報を有する第２の付与を受信するように前記少なくとも１つのプロセッサにさせるためのコードと、
前記第２の制御情報が前記第１の制御情報と一致しないと決定するように前記少なくとも１つのプロセッサにさせるためのコードと、
前記第１および第２の付与がダウンリンクまたはアップリンクのデータ送信のためのものかどうかに基づいて、前記第２の付与を保持または破棄するかどうかを決定するように前記少なくとも１つのプロセッサにさせるためのコードと
を含む、コンピュータ可読媒体
を含む、コンピュータプログラム製品。
［Ｃ２８］前記第１の制御情報が、第１の搬送ブロックサイズを含み、前記第２の制御情報が、第２の搬送ブロックサイズを含み、前記第２の制御情報が、前記第２の搬送ブロックサイズが前記第１の搬送ブロックサイズとは異なるために、前記第１の制御情報と一致しないものと考えられる、Ｃ２７に記載のコンピュータプログラム製品。
［Ｃ２９］前記コンピュータ可読媒体が、
前記第１および第２の付与が前記ダウンリンクのデータ送信のためのものである場合に前記第２の付与を保持するように前記少なくとも１つのプロセッサにさせるためのコード
をさらに含む、Ｃ２７に記載のコンピュータプログラム製品。
［Ｃ３０］前記第１および第２の付与が、搬送ブロックのための最も新しい２つの付与であり、前記搬送ブロックのための後続の付与が、一致しない制御情報を検出するために、前記第２の付与と比較される、Ｃ２９に記載のコンピュータプログラム製品。
［Ｃ３１］前記コンピュータ可読媒体が、
前記第１および第２の付与が前記アップリンクのデータ送信のためのものである場合に前記第２の付与を破棄するように前記少なくとも１つのプロセッサにさせるためのコード
をさらに含む、Ｃ２７に記載のコンピュータプログラム製品。
［Ｃ３２］前記第１の付与が、搬送ブロックのための最初の付与であり、前記第２の付与が、前記搬送ブロックのための最も新しい付与であり、前記搬送ブロックのための後続の付与が、一致しない制御情報を検出するために前記第１の付与と比較される、Ｃ３１に記載のコンピュータプログラム製品。
［Ｃ３３］ユーザー機器（ＵＥ）に第１のデータ送信のための第１の制御情報を有する第１の付与を送ることと、
前記ＵＥに第２のデータ送信のための第２の制御情報を有する第２の付与を送ることであって、前記第２の制御情報が、前記ＵＥによって前記第１の制御情報と一致しないものと考えられる、ことと、
前記第１および第２の付与がダウンリンクまたはアップリンクのデータ送信のためのものかどうかに基づいて前記第１および第２のデータ送信を処理することと
を含む、無線通信のための方法。
［Ｃ３４］前記第１の制御情報が、第１の搬送ブロックサイズを含み、前記第２の制御情報が、第２の搬送ブロックサイズを含み、前記第２の制御情報が、前記第２の搬送ブロックサイズが前記第１の搬送ブロックサイズとは異なるために、前記ＵＥによって前記第１の制御情報と一致しないものと考えられる、Ｃ３３に記載の方法。
［Ｃ３５］前記第１および第２のデータ送信を処理することが、
前記第１の制御情報に基づいて前記第１のデータ送信を送ることと、
前記第２の制御情報に基づいて前記第２のデータ送信を送ることと
を含む、Ｃ３３に記載の方法。
［Ｃ３６］前記第１および第２のデータ送信を処理することが、
前記第１の制御情報に基づいて前記第１のデータ送信を受信および処理することと、
前記第２の制御情報に基づいて前記第２のデータ送信を受信および処理することと、
復号エラーが前記第２のデータ送信のために得られた場合に、前記第２のデータ送信のためのブラインド復号を実行することと
を含む、Ｃ３３に記載の方法。
［Ｃ３７］ユーザー機器（ＵＥ）に第１のデータ送信のための第１の制御情報を有する第１の付与を送る手段と、
前記ＵＥに第２のデータ送信のための第２の制御情報を有する第２の付与を送る手段であって、前記第２の制御情報が、前記ＵＥによって前記第１の制御情報と一致しないものと考えられる、手段と、
前記第１および第２の付与がダウンリンクまたはアップリンクのデータ送信のためのものかどうかに基づいて前記第１および第２のデータ送信を処理する手段と
を含む、無線通信のための装置。
［Ｃ３８］前記第１の制御情報が、第１の搬送ブロックサイズを含み、前記第２の制御情報が、第２の搬送ブロックサイズを含み、前記第２の制御情報が、前記第２の搬送ブロックサイズが前記第１の搬送ブロックサイズとは異なるために、前記ＵＥによって前記第１の制御情報と一致しないものと考えられる、Ｃ３７に記載の装置。
［Ｃ３９］前記第１および第２のデータ送信を処理する手段が、
前記第１の制御情報に基づいて前記第１のデータ送信を送る手段と、
前記第２の制御情報に基づいて前記第２のデータ送信を送る手段と
を含む、Ｃ３７に記載の装置。
［Ｃ４０］前記第１および第２のデータ送信を処理する手段が、
前記第１の制御情報に基づいて前記第１のデータ送信を受信および処理する手段と、
前記第２の制御情報に基づいて前記第２のデータ送信を受信および処理する手段と、
復号エラーが前記第２の送信のために得られた場合に前記第２のデータ送信のためのブラインド復号を実行する手段と
を含む、Ｃ３７に記載の装置。
［Ｃ４１］ユーザー機器（ＵＥ）に第１のデータ送信のための第１の制御情報を有する第１の付与を送り、
前記ＵＥに第２のデータ送信のための第２の制御情報を有する第２の付与を送り、前記第２の制御情報が、前記ＵＥによって前記第１の制御情報と一致しないものと考えられ、
前記第１および第２の付与がダウンリンクまたはアップリンクのデータ送信のためのものかどうかに基づいて前記第１および第２のデータ送信を処理する
ように構成された少なくとも１つのプロセッサ
を含む、無線通信のための装置。
［Ｃ４２］前記第１の制御情報が、第１の搬送ブロックサイズを含み、前記第２の制御情報が、第２の搬送ブロックサイズを含み、前記第２の制御情報が、前記第２の搬送ブロックサイズが前記第１の搬送ブロックサイズとは異なるために、前記ＵＥによって前記第１の制御情報と一致しないものと考えられる、Ｃ４１に記載の装置。
［Ｃ４３］前記少なくとも１つのプロセッサが、
前記第１の制御情報に基づいて前記第１のデータ送信を送り、
前記第２の制御情報に基づいて前記第２のデータ送信を送る
ように構成される、Ｃ４１に記載の装置。
［Ｃ４４］前記少なくとも１つのプロセッサが、
前記第１の制御情報に基づいて前記第１のデータ送信を受信および処理し、
前記第２の制御情報に基づいて前記第２のデータ送信を受信および処理し、
復号エラーが前記第２のデータ送信のために得られた場合に、前記第２のデータ送信のためのブラインド復号を実行する
ように構成される、Ｃ４１に記載の装置。
［Ｃ４５］ユーザー機器（ＵＥ）に第１のデータ送信のための第１の制御情報を有する第１の付与を送るように少なくとも１つのプロセッサにさせるためのコードと、
前記ＵＥに第２のデータ送信のための第２の制御情報を有する第２の付与を送るように前記少なくとも１つのプロセッサにさせるためのコードであって、前記第２の制御情報が、前記ＵＥによって前記第１の制御情報と一致しないものと考えられる、コードと、
前記第１および第２の付与がダウンリンクまたはアップリンクのデータ送信のためのものかどうかに基づいて前記第１および第２のデータ送信を処理するように前記少なくとも１つのプロセッサにさせるためのコードと
を含む、コンピュータ可読媒体
を含む、コンピュータプログラム製品。
［Ｃ４６］前記第１の制御情報が、第１の搬送ブロックサイズを含み、前記第２の制御情報が、第２の搬送ブロックサイズを含み、前記第２の制御情報が、前記第２の搬送ブロックサイズが前記第１の搬送ブロックサイズとは異なるために、前記ＵＥによって前記第１の制御情報と一致しないものと考えられる、Ｃ４５に記載のコンピュータプログラム製品。
［Ｃ４７］前記コンピュータ可読媒体が、
前記第１の制御情報に基づいて前記第１のデータ送信を送るように前記少なくとも１つのプロセッサにさせるためのコードと、
前記第２の制御情報に基づいて前記第２のデータ送信を送るように前記少なくとも１つのプロセッサにさせるためのコードと
をさらに含む、Ｃ４５に記載のコンピュータプログラム製品。
［Ｃ４８］前記コンピュータ可読媒体が、
前記第１の制御情報に基づいて前記第１のデータ送信を受信および処理するように前記少なくとも１つのプロセッサにさせるためのコードと、
前記第２の制御情報に基づいて前記第２のデータ送信を受信および処理するように前記少なくとも１つのプロセッサにさせるためのコードと、
復号エラーが前記第２のデータ送信のために得られた場合に、前記第２のデータ送信のためのブラインド復号を実行するように前記少なくとも１つのプロセッサにさせるためのコードと
をさらに含む、Ｃ４５に記載のコンピュータプログラム製品。
【図１】
0005529252.tif 000003
【図２】
0005529252.tif 000004
【図３】
0005529252.tif 000005
【図４】
0005529252.tif 000006
【図５】
0005529252.tif 000007
【図６】
0005529252.tif 000008